(57)【要約】【課題】  横引管の接続高さが調節できる排水合流単管を得ること。横引管の接続高さが調節できると共に、横引管流量が大きな排水合流単管を得ること。横引管の接続高さが調節できると共に、階高に合わせて配管できる排水合流単管を得ること。【解決手段】  横引管と枝管との接続はフランジとし、ボルト穴を長穴にする。枝管は、その中心線を単管の中心から外して単管に接続し、その流路断面積は横引管の内径面積より大きくする。単管の上の接続は、差込み型継手に、下の接続はフランジ型の継手にする。【選択図】図１
2005226432.tif 000002
【特許請求の範囲】
【請求項１】
枝管と横引管のフランジの、何れか一方又は両方のフランジのボルト穴を長穴にしたことを特徴とする排水合流単管。
【請求項２】
枝管の中心線を単管の中心から外し、枝管の流路断面積を横引管の内断面積より大きくしたことを特徴とする請求項１に記載する排水合流単管。
【請求項３】
単管の上の接続は差込み型継手にし、下の継手はフランジ型継手にしたことを特徴とする請求項１又は請求項２に記載する排水合流単管。
【発明の詳細な説明】
【技術分野】
【０００１】  本発明は、既設の集合住宅の排水立管に属する。
【背景技術】
【０００２】古い集合住宅の排水管は、上の階の排水（例えば風呂の排水）を下の階の天井裏に横引き配管（以下、横引管という）し、立排水管にねじ込み式排水管継手を用いて合流させ、通気管を別に設ける、という方法で配管されている。このような排水管の改修が必要な場合、同じ配管方法では、短時間で少しでも安くという要求を満足させることができなかった。【０００３】このような改修には、通気配管の無い単管式（排水が旋回して立排水管の管内壁に沿って流れ、管の中央部で通気する方式）が適しているが、天井裏の横引管を想定しておらず、横引管の高さや階高のバラツキに合せ、ある階だけ改修できるような便利な排水合流単管は無かった。【０００４】また、この改修に単管式の要素技術を使うには問題があった。図７は非特許文献１の例であるが、横引管を枝管３に接続しスラブ１４及び１４′の上に設置するので、横引管の高さ調節機能は無い。そのため調節が必要な天井裏の横引管は使えない。また、枝管３が単管２の中心に向かって付いているので、横引管からの流量が多い場合は、通気を阻害したり、騒音を発生したりすることがあったが、もしも天井裏で他人が流した排水で騒音が発生すると、深刻な問題になると推定された。【０００５】改修に使える管の接続構造に非特許文献１及び特許文献２があり、図７の中央部にその構造を示す。直管１２の下端はフレアーフランジ継手１１（図６の下端部分と同じ）で、上端は単管２が上下に動いても接続できる差込みフレアーフランジ継手Ｃである。差込みフレアーフランジ継手Ｃは、単管２の外周に嵌められたガスケット２６を、クランプ２７を介してボルト（図示せず）を締付けシールする。直管１２の取付けは、直管１２を傾けて受口９を単管２の下端に斜め方向から一番奥まで差込み、差込んだ状態のまま直管１２を垂直にし（図６のＡ）、引下げてフレアーフランジ継手１１の上に落着かせ（図６のＢ）、最後にクランプ２７を締付けて完了する。このように直管１２は配管の最後に取付けられので、横引管がスラブの上にある場合の、ある階だけの改修に使うことができる。しかし、横引管が天井裏にあり、上の接続がスラブ１４及び１４′の穴の中になる場合は、直管１２を伸ばして接続できる長さにしても、クランプ２７をスラブの穴内で締付けるのは容易なことではない。また、横引管の接続口がなく、例え付けたとしても上述０００４の問題がある。以上のことから、このものは今回の用途には使えない。【０００６】合流部の通気を確保し排水に旋回流を起すように枝管の流れを継手の中心から外したものに特許文献２があるが、この継手は、横引管がスラブの上に来る場合に使われるために、横引管高さのバラツキに合せて接続できる構造ではない。
【非特許文献１】興和工業所  ＫＯＷＡ    ＫＪ継手カタログ  ２００３
【特許文献１】特開平９−４１６４５号公報
【特許文献２】特開２００１−２６９５７号公報
【発明の開示】
【発明が解決しようとする課題】
【０００７】横引管の接続高さが調節できる排水合流単管を得ること。横引管の接続高さが調節できると共に、横引管流量が大きな排水合流単管を得ること。横引管の接続高さが調節できると共に、階高に合せて配管できる排水合流単管を得ること。
【課題を解決するための手段】
【０００８】横引管と枝管との接続はフランジとし、ボルト穴を長穴にする。枝管は、その中心線を単管の中心から外して単管に接続し、その流路断面積は横引管の内径面積より大きくする。単管の上の接続は、差込み型継手に、下の接続はフランジ型の継手にする。
【発明の効果】
【０００９】横引管の高さのバラツキ、階高のバラツキに容易に対応でき、ある階だけの改修や各階の並列改修もできるので、短時間で配管ができるばかりでなく、総合コストを下げることができる。また、排水量が多くても騒音の少ない配管ができる。
【発明の実施するための最良の形態】
【００１０】本発明を図１〜図６により説明する。本発明の排水合流単管の配管実施例を図１に示す。排水合流単管１は、単管２、枝管３、枝管フランジ４で構成され、天井裏の横引管５とは枝管フランジ４、ガスケット６、横引管フランジ７をボルト８（中心線のみ図示）を締付けて接続している。
【００１１】単管２の上端には受口９があり、上の階の排水継手１０が差込まれ接続している。受口９は、階高により差込み量がある範囲で変わっても接続できる構造になっている（詳細後述）。
【００１２】単管２の下端は、フレアーフランジ継手１１で直管１２に接続しており、直管１２は排水継手１３に接続している。排水合流単管１は、直管１２、排水継手１３を介してスラブ１４で支える。また、このことから、スラブ１４の上面が高さの基準になる。
【００１３】図２及び図３で単管２、枝管３及び横引管５の関係を説明する。図２は図１のＡＡから見た枝管部分の図である。枝管３は、中心線１５が単管２の中心Ｏより外側を通り、枝管３の内面１６が単管２の内面１７より外にならない範囲の内側になる位置に取付ける。要は、流入する排水が直管２内で旋回するように枝管３を取付ける。
【００１４】枝管３は、図１に示すように下方に勾配を付けた方が、排水が流れ易くなるが、排水の流入量が少ない場合は勾配を付けなくてもよい。
【００１５】枝管フランジ４の向きは横引管フランジ７に合せて決められるが、横引管フランジ７は横引管５の中心線１８に直角に取付けられている。そのために図１のＡＡから見て、枝管３の中心線１５と横引管５の中心線１８が一致する場合は図２のようになり、角度がある場合は図３のようになる。角度がある場合は図３に示すように横引管４の中心線１８が単管２の中心Ｏに向かうように取付けるのが一般的である。
【００１６】図４に図１のＢ方向から見た図２の枝管フランジ４を示す。枝管フランジ４の内面１９は、枝管３の面１６と枝管フランジの背面とが交わった線の形状である。内面１９は枝管３が円い断面の管で下方に勾配がついているので楕円になっている。
枝管３の内面１６に合せた形状である。２０はボルト穴である。
【００１７】図５に図１のＢ方向から見た横引管フランジ７を示す。この横引管フランジ７は横引管５の高さ調節のために、ボルト８が嵌る穴は長穴２１になっている。
【００１８】枝管フランジ４のボルト穴２０と横引管フランジ７のボルト穴２１は、相互に入替えても、両方を長穴にしても、機能に変わりは無い。また、このフランジは枝管３の中心線１５が単管の中心Ｏに向かう合流単管にも適用できる。
【００１９】フランジの内径２２は横引管５の内径とほぼ同じ径であり、この内径２２が枝管フランジ４の内面１９から外れない範囲が横引管５の上下に動ける量である。横引管５が上下に動いた時の内径２２の軌跡は小判形である。この小判形は枝管フランジ４の内面１９の中に納まる必要があり、このことが枝管３の形状寸法を決める。結果として枝管３は、横引管５の内径２２の断面積（以下内断面積という）より大きな流路断面積の管になる。また、上述の小判形が納まれば楕円管、角管、矩形管などを枝管３に用いることができる。
【００２０】図１の状態に配管するには、通常、スラブ１４の上に排水継手１３、直管１２、排水合流単管１上の階の排水継手１０まで順次積み上げるようにし、その後横引管を取付ける。
【００２１】ある階だけを更新する場合は、次ぎのようにする。図１で排水継手１０、直管１２及び排水継手１３が設置されている状態で、先ず、単管２を傾けて受口９を排水継手１０に斜め方向から一番奥まで差込み、差込んだ状態のまま単管２を垂直にする。この状態が図６のＡである（図６は受口９とフレアーフランジ継手を示し、中間部の単管２及び枝管３は省略してある）。次ぎに、単管２を引下げ、図６のＢ状態にする。この単管２の引下げ量は、階高のバラツキにより変わって来る。そして、引下げた状態でＯリング２３は排水継手１０の差込み部から外れない位置にある。
【００２２】最後にフレアーフランジ継手１１の締結をする。即ち、単管２のフレアーフランジ２４と直管１２のフレアーフランジ２５でガスケット２６をクランプ２７で締付ける（ボルトは図示せず）。そして、この後で横引管５を取付け、配管が完成する。
【００２３】図６の受口９はＯリング２３でシールする差込み型の継手であるが、図６のＢの状態でシールできれば他の差込み型の継手でもよい。また、図６の下端はフレアーフランジ型の継手１１であるが、普通のフランジ型継手でもよい。
【００２４】以上のように、本発明は集合住宅の改修に使うことを意図したものであるが、改修以外の場合にも使うことができる。
【図面の簡単な説明】
【００２５】
【図１】本発明の排水合流単管の配管実施例
【図２】図１のＡＡ視図で枝管と横引管が一直線の実施例
【図３】図１のＡＡ視図で枝管と横引管に角度がある実施例
【図４】図１のＢ方向から見た枝管フランジ
【図５】図１のＢ方向から見た横引管フランジ
【図６】排水合流単管の取付け説明図（Ａは受口の差込み状態、Ｂは引下げ状態）
【図７】従来技術の説明図
【符号の説明】
【００２６】１：排水合流単管  ２：単管  ３：枝管  ４：枝管フランジ  ５：横引管  ６：ガスケット  ７：横引管フランジ  ８：ボルト  ９：受口  １０：排水継手  １１：フレアーフランジ継手  １２：直管  １３：排水継手  １４、１４′：スラブ  １５：枝管中心線  １６：枝管内面  １７：単管内面  １８：横引管中心線  １９：枝管フランジの内面  ２０：ボルト穴  ２１：長穴  ２２：横引管フランジの内径  ２３：Ｏリング  ２４、２５：フレアーフランジ  ２６：ガスケット  ２７：クランプ
【図１】
2005226432.tif 000003
【図２】
2005226432.tif 000004
【図３】
2005226432.tif 000005
【図４】
2005226432.tif 000006
【図５】
2005226432.tif 000007
【図６】
2005226432.tif 000008
【図７】
2005226432.tif 000009